(57)【要約】【課題】消灯後の歩行に際して足をぶつけやすい家具の脚部を、睡眠を妨げない最小限の明るさによって安全に目立たせることができ、かつ、設置や移動も容易である家具用照明装置を提供する。【解決手段】本発明の家具用照明装置４は、脚付き家具の脚部２の下端に透光性材料からなる接床部５が設けられ、この接床部５の内側に光源６が内蔵されて、この光源６の発する光が接床部５の側面から床面３に照射されるものである。接床部５の上部中央には光源６を収容する凸部８が形成され、この凸部８が、家具の脚部の下端面に形成された凹部内に嵌合される。【選択図】図２
2006351276.tif 000002
【特許請求の範囲】
【請求項１】
脚付き家具の脚部の下端に透光性材料からなる接床部が設けられ、この接床部の内側に光源が内蔵されて、この光源の発する光が接床部の側面から床面に照射されるように構成された家具用照明装置。
【請求項２】
接床部の上部中央に光源を収容する凸部が形成され、この凸部が、家具の脚部の下端面に形成された凹部内に嵌合されたことを特徴とする請求項１に記載の家具用照明装置。
【請求項３】
接床部は、上方よりも下方が小断面となる逆錐台形状に形成されたことを特徴とする請求項１または２に記載の家具用照明装置。
【請求項４】
接床部の側面が拡散透過面となされたことを特徴とする請求項１〜３のいずれかに記載の家具用照明装置。
【請求項５】
接床部の凸部には、その上面に開口する縦断面略Ｕ字形の中空部が形成され、この中空部内に光源が収容されたことを特徴とする請求項２または３に記載の家具用照明装置。
【請求項６】
接床部が透明アクリル樹脂からなることを特徴とする請求項１〜５のいずれかに記載の家具用照明装置。
【請求項７】
光源が発光ダイオードからなることを特徴とする請求項１〜６のいずれかに記載の家具用照明装置。
【請求項８】
光源に接続される電源コードが、家具の脚部の側面に沿って、または脚部の内部に挿通
されて配線されたことを特徴とする請求項１〜７のいずれかに記載の家具用照明装置。
【請求項９】
家具の脚部その他の適宜箇所に人感センサが設置され、この人感センサの検知によって光源が点消灯することを特徴とする請求項１〜８のいずれかに記載の家具用照明装置。
【発明の詳細な説明】
【技術分野】
【０００１】
本発明は、家具と一体に組み込まれる照明装置に関し、より詳細には、テーブルや椅子等、いわゆる脚付き家具の脚部に組み込まれて足元灯として利用される家具用足元照明装置に関する。
【背景技術】
【０００２】
住宅等においては、夜間の消灯後に室内を歩行する際の安全対策として、階段、廊下、寝室やトイレの出入口付近等に足元灯が設置される。この種の足元灯は、通常、階段や廊下の壁面に取り付けられるが、灯具や配線を壁面内に施工しなければならないので、専門の工事者が必要で、施工が面倒である。
【０００３】
かかる不便を解決する技術として、特許文献１には、中空面発光部を有する照明部材を階段や廊下の側板と一体に設け、一ヶ所の光源から供給される光を上記照明部材内で伝播させながら均一に拡散反射させるように構成した足元照明システムが提案されている。
【０００４】
また、就寝後、トイレなどのために起き上がって歩行する際の足元照明として、特許文献２、３には、ベッドの側枠体の裏側に照明装置を取り付ける構成が提案されている。
【特許文献１】特開平１０−９７８０４号公報
【特許文献２】実開平５−９３３０５号公報
【特許文献３】特開２００４−２４３７０号公報
【発明の開示】
【発明が解決しようとする課題】
【０００５】
壁面に沿って照明部材を設置する特許文献１記載のような足元照明は、壁面内に配線を施工する足元照明に比べて工事は省力化されるものの、一旦、設置した後の移設が困難であるという不便は解消しない。また、発光体を配置しうる場所が壁面沿いに限定されるので、例えば壁面から離れて様々な家具が置かれたような広い室内では、足元の案内効果が薄れ、家具に足をぶつけたり躓いたりつまずいたりするおそれがある。
【０００６】
ベッドの側枠体に取り付けられる特許文献２、３記載のような足元照明は、壁面内への施工を必要としないので設置は容易であるが、寝室内でしか利用できない。また、ベッド周辺の床面全体を照らして、その光と影によって障害物を認識させる照明であるから、一定以上の照度がないと、ベッドや、その周囲に置かれている他の家具を見やすくすることができない。照度を上げると、同室内で就寝している家族の睡眠を妨げるおそれもある。
【０００７】
本発明は上記のような問題点に鑑みてなされたもので、消灯後の歩行に際して足をぶつけたり躓いたりしやすい家具の脚部に着目し、この脚部の存在を、睡眠を妨げないような最小限の明るさによって安全に目立たせることができ、かつ、設置や移動も容易であるような家具用照明装置を提供するものである。
【課題を解決するための手段】
【０００８】
上記した目的を達成するため、本発明の家具用照明装置は、脚付き家具の脚部の下端に透光性材料からなる接床部が設けられ、この接床部の内側に光源が内蔵されて、この光源の発する光が接床部の側面から床面に照射されるように構成される。
【０００９】
この構成によると、脚部を有する家具であれば、椅子、テーブル、飾り棚、脚付きチェストなど、その種類を問わずに足元照明を設置することができ、その置き場所も、家具本体とともに自由に移動することができる。接床部の高さは１０ｍｍ程度でも十分であるから、既存の脚付き家具への後付けも可能であり、取り付け可能な脚部の断面形状も、円形、矩形など、特に限定されない。
【００１０】
さらに、この家具用照明装置は、消灯時の歩行に際して足をぶつけたり躓いたりしやすい家具の脚部を、その下端が接する床面の周囲を照らして目立たせる照明であるから、低照度であっても、脚部の存在を十分に認識させることができる。したがって、障害物の周辺全体を照す従来の照明に比べて光源の輝度は遥かに低くてて済み、よって睡眠の妨げにもなりにくく、使用電力も節約することができる。
【００１１】
この発明においては、接床部の上部中央に光源を収容する凸部が形成され、この凸部が、家具の脚部の下端面に形成された凹部内に嵌合される構成を採用することができる。この構成によると、光源が脚部の下端面に埋め込まれる形態となり、通常の歩行姿勢では光源が直接、視認されなくなるので、目に優しい柔和な照明効果が得られる。加えて、脚部と接床部との結合状態も良好になる。
【００１２】
接床部は、上方よりも下方が小断面となる逆錐台形状に形成されるのが好ましい。このような形状を採用すれば、通常の歩行姿勢からは接床部の側面が見えにくくなるとともに、接床部の側面から発する光が床面上に集中して照射され、脚部が光の上に浮き上がるような印象の美しい照明効果を得ることができる。
【００１３】
さらに、この接床部の側面を拡散透過面となすことにより、光が床面にぼんやりと均一に照射され、より幻想的な雰囲気の照明効果が得られる。ここで、拡散透過面とは、例えばサンドブラストによる粗面加工や、多数の細かい溝列加工等によって、光を乱反射させる大小の凹凸が表面に形成されたものをいう。
【００１４】
さらに、接床部の凸部には、その上面に開口する縦断面略Ｕ字形の中空部が形成され、この中空部内に光源が収容されてもよい。この構成によると、小さくて輝度の大きい光源であっても、その光が中空部から凸部に入射して側面から投射される間に各方向に屈折するので、良好な拡散効果が得られる。
【００１５】
このような接床部の実用的な材質としては、透光性、成形加工の精度、耐荷重強度等に優れる透明アクリル樹脂が特に好適である。また、光源の種類としては  小型で省電力性やメンテナンス性に優れる発光ダイオードが特に好適である。
【００１６】
この家具用照明装置を家具に取り付けるに際しては、光源に電源コードが接続される必要があるが、かかる電源コードは、家具の脚部の側面に沿って、または脚部の内部に挿通されて配線されるのが美観上、好ましい。
【００１７】
また、この家具用照明装置は、家具の脚部その他の適宜箇所に設置された人感センサの検知によって光源が点消灯するように制御されてもよい。
【発明の効果】
【００１８】
本発明の家具用照明装置は、脚付き家具の脚部の下端に設けられた接床部の側面から、その周囲の床面に向かって光が照射されるように構成されているので、脚部を有する家具であれば、その種類や脚部の断面形状を問わずに設置することができる。壁面内への面倒な配線工事は不要であり、既存の脚付き家具への後付けも容易で、家具の脚部に取り付けられた照明装置は、家具本体とともに自由に移動させることができる。
【００１９】
また、本発明の家具用照明装置は、消灯時の歩行に際して足をぶつけたり躓いたりしやすい家具の脚部を、その下端が接する床面の周囲を照らして目立たせる照明であるから、低い照度であっても、脚部の存在を十分に認識させることができる。したがって、障害物の周辺全体を照す従来の照明に比べて光源の輝度は遥かに小さくて済み、睡眠の妨げにもなりにくく、節電効果も高い。
【発明を実施するための最良の形態】
【００２０】
以下、本発明の実施の形態について図を参照して説明する。
【００２１】
図１〜図５は、本発明の家具用照明装置をテーブルの脚部に取り付けた実施形態を示す。
【００２２】
例示したテーブル１の脚部２は、横断面が略正方形の木製脚で、床面３に対して直立しており、この脚部２の下端に本発明の家具用照明装置４が取り付けられる。なお、テーブル１が四本の脚部２を有している場合、本発明の家具用照明装置４は四本全ての脚部２に取り付けられてもよいし、例えば通路スペースに面する一本ないし二本の脚部２に取り付けられて、それ以外の脚部２には、家具用照明装置４と同じ高さに形成された適宜の脚端部材（図示せず）が取り付けられてもよい。
【００２３】
家具用照明装置４は、透明アクリル樹脂、あるいはポリカーボネイト樹脂、強化ガラスその他適宜の透光性材料からなる接床部５と、接床部５に内蔵された発光ダイオード等の小型光源６とを具備している。
【００２４】
接床部５は、その上面が脚部２の横断面形状と合致する逆四角錐台形状をなし、高さは５〜１５ｍｍ程度、床面３に対する側面の角度θは６０〜８０度程度となるように形成されている。接床部５の側面は、サンドブラスト加工による粗面仕上げとなされている。接床部５の底面には、床面３との摩擦や衝撃を吸収させるために、ゴム系素材やフェルト等の繊維系素材からなる緩衝材７が貼着されている。なお、脚部２の横断面形状が例えば円形の場合には、それに合わせて接床部５も逆円錐台形状に形成されるのが望ましい。また、接床部５の側面には、例えば多数の細かい溝列を交差させたような粗面加工が施されていてもよい。
【００２５】
接床部５には、その上面中央から突出する略角柱状の凸部８が一体に形成されており、この凸部８が、家具の脚部２の下端面に形成された略角穴状の凹部９内に嵌合されて、接床部５と脚部２とが結合されている。ここで、凸部８及び凹部９は、例えばそれぞれが円柱状及び丸穴状に形成されていても差し支えない。凸部８は、その上面に開口する縦断面略Ｕ字形の中空部１０を有しており、この中空部１０内に光源６が収容されている。中空部１０の横断面は円形で、内面は光の透過を妨げない平滑な仕上げとなされている。
【００２６】
光源６は、中空部１０の上端近傍に、適宜の補助部材１１を介して下向きに固定されている。光源６に接続される電源コード１２は、脚部２の側方に開口するように形成された縦長の細い溝部１３に沿って配線されている。四本の脚部２それぞれに配線された電源コード１２は、テーブル１の裏面の適宜位置で結合され、邪魔にならない位置を経由して延長されて、室内のコンセント１４等に接続される。
【００２７】
上記のように構成されたこの家具用照明装置４によると、中空部１０内に配置された光源６が発する光は、中空部１０の内面から接床部５の内部に均等に入射し、接床部５の内部を透過して、側面で屈折・拡散しながら、接床部５の周囲に向けてほぼ均等に照射される。これにより、脚部２の周囲の床面３がぼんやりと照らし出され、暗闇の中で脚部２が光の上に浮き上がったような、幻想的な照明効果が得られる。
【００２８】
この家具用照明装置４は、消灯後、常夜灯として継続的に点灯するように設計されてもよいが、節電のためには、人感センサ１５等を利用した制御手段を適宜の位置に設けて、人が接近した場合にのみ自動的に点灯するようにしてもよい。
【産業上の利用可能性】
【００２９】
本発明の家具用照明装置は、住宅用、業務用を問わず、一般的な脚付きの家具に、その脚部の形状を問わず取り付けることができる。特に、高齢者や要介護者等が居住する施設の福祉対策として好適である。
【図面の簡単な説明】
【００３０】
【図１】本発明の実施形態に家具用照明装置を取り付けたテーブルの側面図である。
【図２】上記テーブルの脚部の下端近傍の拡大側面図である。
【図３】上記脚部に取り付けられた家具用照明装置の縦断面図である。
【図４】図２のＡ−Ａ’位置における脚部の横断面図である。
【図５】図２〜図３に示した家具用照明装置の上面図である。
【符号の説明】
【００３１】
１    テーブル（脚付き家具）
２    脚部
３    床面
４    家具用照明装置
５    接床部
６    光源
８    凸部
９    凹部
１０  中空部
１５  人感センサ
【図１】
2006351276.tif 000003
【図２】
2006351276.tif 000004
【図３】
2006351276.tif 000005
【図４】
2006351276.tif 000006
【図５】
2006351276.tif 000007